(57)【要約】      （修正有）【課題】収納ケース本体への引出本体の出し入れを滑らかに行うことができるようにするとともに、簡単な構成で引出本体が振動等により自然に抜け出ないようにする。また引出本体を収納し終えたときのクリック感を向上させる収納ケースを提供する。【解決手段】引出本体の収納空間部を有する収納ケース本体１１と、この収納空間部に引き出し自在に収容する引出本体１２を有する。収納ケース本体１１の収納空間部側に配設したレール４０に、引出本体１２側に配設したレール５０を摺動可能に接合させて前記引出本体の引き出し移動を可能にする。収納ケース本体側レールの後端部延長側に、引出本体側レール５０の後方移動を衝止する衝止部材６０を設けている。衝止部材６０は、収納ケース本体の底面方向に傾斜した傾斜部６０ａと、出本体側のローラ５２が衝当する突起部６０ｂと収納ケース本体側レール５０のストッパ部６０ｃを有している。【選択図】図７
0003164972.tif 000002
【実用新案登録請求の範囲】
【請求項１】
引出本体の収納空間部を有する収納ケース本体と、この収納空間部に引き出し自在に収容する引出本体を有する収納ケースにおいて、
前記収納ケース本体の前記収納空間部側に配設したレールに、前記引出本体側に配設した滑動部材を滑動可能に接合させて前記引出本体の引き出し移動を可能にすると共に、
前記収納ケース本体側レールの後端部延長側に、前記引出本体側滑動部材の後方移動を衝止する衝止部材を設けたことを特徴とする収納ケース。
【請求項２】
前記引出側滑動部材がレールであることを特徴とする請求項１に記載の収納ケース。
【請求項３】
前記収納ケース本体側レールと引出本体側のレールにそれぞれローラを設け、収納ケース本体側のローラが引出本体側レールを転動し、引出本体側のローラが収納ケース本体側レールを転動するように構成したことを特徴とする請求項２に記載の収納ケース。
【請求項４】
前記収納ケース本体側レールの後端部の長さを前記引出本体側レールの長さより短く構成し、前記収納ケース本体側レールの後端部延長側であって前記引出本体側レール後端部に対応する位置に前記衝止部材を設けたことを特徴とする請求項２又は３に記載の収納ケース。
【請求項５】
前記衝止部材は、収納ケース本体の底面方向に傾斜した傾斜部と、前記引出本体側のローラが衝当する突起部を有していることを特徴とする請求項３又は４に記載の収納ケース。
【請求項６】
前記衝止部材に、収納ケース本体側レールのストッパ部を設けたことを特徴とする請求項１〜５のいずれかに記載の収納ケース。
【請求項７】
前記衝止部材は、前記傾斜部の後端部に前記突起部が形成され、これら傾斜部と突起部の側面部であって前記収納ケース本体側レールの後端部に対応する位置に前記ストッパ部が形成されていることを特徴とする請求項６に記載の収納ケース。
【請求項８】
前記収納ケース本体側レールと引出本体側レールは金属レールであることを特徴とする請求項１〜７のいずれかに記載の収納ケース。
【考案の詳細な説明】
【技術分野】
【０００１】
本考案は、衣類や小物等を収容する収納ケースに関するものである。
【背景技術】
【０００２】
従来から、衣類や小物等を収容するための収納ケース知られている。一例として、フレーム体で構成された収納ケース本体にボックス状の引出本体を出し入れ可能に収納したものが知られているが、この収納ケースにおいては、収納した引出本体が振動などにより収納ケース本体から自然に抜け出さないようにするため、引出本体の前壁面の把手部にロック機構等が設けられている（特許文献１）。
【先行技術文献】
【特許文献】
【０００３】
【特許文献１】実用新案登録第３１１８４７７号
【考案の開示】
【考案が解決しようとする課題】
【０００４】
しかしながら、上述したようなロック機構は構成が複雑であり、多数の部品点数が必要となるため製造コストが高価になるなどの問題がある。
【０００５】
本考案は、このような課題を解決するために提案されたものであり、収納ケース本体への引出本体の出し入れを滑らかに行うことができるようにするとともに、簡単な構成で引出本体が振動等により自然に収納ケース本体から抜け出ないようにすることを目的とする。
また本考案は、引出本体を収納ケース本体に収納し終えたときのクリック感を向上させることを目的とする。
【課題を解決するための手段】
【０００６】
上記課題を解決するために、請求項１の考案にあっては、引出本体の収納空間部を有する収納ケース本体と、この収納空間部に引き出し自在に収容する引出本体を有する収納ケースにおいて、
前記収納ケース本体の前記収納空間部側に配設したレールに、前記引出本体側に配設した滑動部材を滑動可能に接合させて前記引出本体の引き出し移動を可能にすると共に、
前記収納ケース本体側レールの後端部延長側に、前記引出本体側レールの後方移動を衝止する衝止部材を設けたことを特徴とする。
【０００７】
前記引出本体側の滑動部材は特に限定されるものではなく、下述するレールのほかに、レールを省略して単一又は複数のローラを配設した構成等も含まれる。これにより、引出本体を収納ケース本体に収納する際、すなわち引出本体が後方移動した際、引出本体が完全に収納される直前に衝止部材により引出本体の移動が減衰される。また、衝止部材の干渉により収納ケース本体が振動等により自然に抜け出るのを防止することができる。
【０００８】
また請求項２の考案にあっては、前記引出側滑動部材がレールであることを特徴とする。
【０００９】
これにより、引出本体側と収納ケース本体側のレールが相互に接合して滑動するため、引出本体の出し入れ（移動）が安定する。
【００１０】
また請求項３の考案にあっては、前記収納ケース本体側レールと引出本体側レールにそれぞれローラを設け、収納ケース本体側のローラが引出本体側のレールを転動し、引出本体側のローラが収納ケース本体側レールを転動するように構成したことを特徴とする。
【００１１】
これにより、収納ケース本体側レールと引き出し側レールの摩擦抵抗を低減でき、収納ケース本体の移動が滑らかになる。
【００１２】
また請求項４の考案にあっては、前記収納ケース本体側レールの後端部の長さを前記引出本体側レールの長さより短く構成し、前記収納ケース本体側レールの後端部延長側であって前記引出本体側レール後端部に対応する位置に前記衝止部材を設けたことを特徴とする。
【００１３】
このような構成にすると、収納ケース本体側レール後端部に対応した位置に衝止部材が設けられるため、収納ケース本体側レールのストローク内で引出側レールの移動及び衝止が可能となる。
【００１４】
また請求項５の考案にあっては、前記衝止部材は、収納ケース本体の底面方向に傾斜した傾斜部と、前記引出本体側のローラが衝当する突起部を有していることを特徴とする。
【００１５】
このような衝止部材にすると、引出本体側レールのローラは、収納ケース本体側レール後端部から抜け出て傾斜部の上面を転動し、突起部に乗り上げるか又は乗り越えた位置で停止する。これら一連の動きにより収納ケース本体を収納したときのクリック感が向上すると共に、突起部と傾斜部の相互作用により引出本体側レールのローラの前方への移動が規制され、振動等により引出本体が収納ケース本体から抜け出るのを防止することができる。
【００１６】
また請求項６の考案にあっては、前記衝止部材に、収納ケース本体側レールのストッパ部を設けたことを特徴とする。
【００１７】
これによって、収納ケース本体側レールが、引出側レールの摺接移動に伴い、後方に移動するのを阻止することができる。
【００１８】
また請求項７の考案にあっては、前記衝止部材は、前記傾斜部の後端部に前記突起部が形成され、これら傾斜部と突起部の側面部であって前記収納ケース本体側レールの後端部に対応する位置に前記ストッパ部が形成されていることを特徴とする。
【００１９】
このようにすると、衝止部材を一体成形により簡単に所定位置に設けることが可能となる。
【００２０】
また請求項８の考案にあっては、前記収納ケース本体側レールと引出本体側レールは金属レールであることを特徴とする。
【００２１】
金属レールは、プラスチック製に比較して摩擦抵抗が小さいため、引出側本体の移動が平滑になる。
【考案の効果】
【００２２】
上述した本考案によれば、収納ケース本体への引出本体の出し入れを滑らかに行うことができ、また簡単な構成で引出本体が振動等により自然に収納ケース本体から抜け出るのを防止することができる。
また本考案によれば、引出本体を収納ケース本体に収納し終えたときのクリック感を向上させることができる。
【図面の簡単な説明】
【００２３】
【図１】本考案の収納ケースの全体正面図である。
【図２】本考案の収納ケースの全体側面図である。
【図３】本考案の収納ケース本体の断面側面図である。
【図４】本考案の収納ケース本体を上下に連結した状態の断面側面図である。
【図５】本考案の衝止部材の斜視図である。
【図６】本考案の引出本体の側面図である。
【図７】本考案の収納ケース本体に引出本体を収納するときの断面側面図である。
【考案を実施するための形態】
【００２４】
以下、添付図面に従って本考案の実施形態の一例を説明するが、本考案はこの実施形態に限定されるものではない。図１、図２は本考案に係る収納ケース１の全体を示しており、図１は正面図、図２は側面図である。
【００２５】
収納ケース１は、収納ケース本体１１と、この収納ケース本体１１に引き出し自在に収容される引出本体１２を有している。収納ケース本体１１と引出本体１２のユニット２１は、上下方向に連結可能となっており、最下段のユニット２１の底面部２２には脚部２３が設けられ、最上段の上面部には天板２４が設けられている。
【００２６】
収納ケース本体１１は、図３及び図４に示すように前後の支柱フレーム３０，３０（図面に向かって左側が前面、右側が後面となる）と、支柱フレーム３０，３０における下端部間に架橋された左右両側部フレーム３１（図面では手前側の側部フレームは図示せず）によって直方体形に構成され、収納ケース本体１１の内部に引出本体１２の収納空間部３２が形成されている。ここでは、収納ケース本体１１の左右両側部と背面部が面板３３，３３で囲われており、前面部と上面部と底面部が開口している。
【００２７】
収納ケース本体１１の左右両側部フレーム３１の内面側には金属製の固定レール４０（収納ケース本体側レール）が、長手方向に複数配設された保持爪４１，４１ａによって保持されている。固定レール４０は、断面略コ字形であり、上面部４０ｂの端縁部が下方に屈曲した形状となっている。また、固定レール４０の前端部にはローラ４２が枢着されている。
【００２８】
前記固定レール４０の長さは、図４に示すように、後述する引出本体１２側に設けた可動レール５０の長さより短くなっており、固定レール後端部４０ａの延長側（収納ケース本体１１の後面部側）の左右両側フレーム３１には、衝止部材６０が設けられている。ここでは、衝止部材６０は左右両側フレーム３１と一体成形により設けられている。
【００２９】
衝止部材６０は、図５に詳示するように、収納ケース本体１１の底面方向に緩やかに傾斜した傾斜部６０ａと、後述する引出本体１２側の可動レール５０に設けたローラ５２が衝当する突起部６０ｂが設けられており、これら傾斜部６０ａと突起部６０ｂの一側面部には、板状に起立するストッパ部６０ｃが設けられている。なお、衝止部材６０を構成する傾斜部６０ａ、突起部６０ｂ及びストッパ部６０ｃは一体成形により造られており、突起部６０ｂは、成形上、左右に分割された形状となっている。
【００３０】
一方、支柱フレーム３０，３０の上端部には、図３、図４に示すように上部ユニット２１の支柱フレーム３０，３０の下端部に形成された凹部への挿入部３０ａ，３０ａが形成され、その挿入部３０ａ，３０ａの側面部には、上部ユニット２１の支柱フレーム３０，３０に設けられた係止部（図示せず）と着脱自在に係合する係合部材３４，３４が設けられている。この係合部材３４，３４の構成は公知であるから、ここでの詳しい説明は省略する。
【００３１】
なお、図４は最上段と最下段のユニット２１，２１を連結した状態であり、最上段のユニット２１は、固定レール４０との長さを比較するため、便宜的に引出本体１２の可動レール５０を示している。
【００３２】
前記引出本体１２は、図６に示すように、上方が開口した矩形容器状に形成されており、左右両側面部７０の下部には、前記固定レール４０と対を成す金属製の可動レール５０（引出本体側レール）が配設されている。可動レール５０は断面略コ字形であり、長さ方向に複数配設された保持爪７１．７１によって引出本体側面部７０に保持されている。また、可動レール５０の後端部にはローラ５２が枢着されている。
【００３３】
前記引出本体１２は、図７に示すように、前記収納ケース本体１１に出し入れ可能に収納される。この際、前記可動レール５０に設けられたローラ５２が前記固定レール４０に沿ってレール内側を転動し、前記固定レール４０に設けられたローラ４２が前記可動レール５０に沿ってレール内側を転動する。このようにして、引出本体１２が固定レール４０に沿って前後方向の移動が可能となり、引出本体１２の出し入れを容易に行うことができる。
【００３４】
引出本体１２を収納ケース本体１１に押し込んで収納する際、図４の仮想線で示すように、可動レール５０のローラ５２は固定レール４０の後端部４０ａを通過して衝止部材６０の傾斜部６０ａの上面を転動し、突起部６０ｂに衝当して突起部６０ｂに乗り上げるか、又は突起部６０ｂを乗り越えた位置で停止する。このため、引出本体１２は突起部６０ｂと傾斜部６０ａに規制されて振動等が生じても収納ケース本体１１から自然に抜け出るのを防止できる。また、ローラ５２が突起部６０ｂに乗り上げ又は乗り越えるため、引出本体１２を収納し終えたときのクリック感を向上することができる。
【００３５】
なお、ローラ５２が勢いよく転動し、その衝撃で固定レール４０が後方に移動したような場合は、固定レール後端部４０ａが衝止部材６０のストッパ部６０ａの先端部に衝突するため、固定レール４０の後方移動を阻止することができる。
【００３６】
上述した実施形態は本考案の一例を示したものであり、例えば収納ケース本体１１、引出本体１２等は図示した構成に限定されるものではない。
【符号の説明】
【００３７】
１は収納ケース
１１は収納ケース本体
１２は引出本体
３０は支柱フレーム
３１は側部フレーム
３２は収納空間部
４０は固定レール（収納ケース本体側レール）
４２はローラ
５０は可動レール（引出本体側レール）
５２はローラ
６０は衝止部材
６０ａは傾斜部
６０ｂは突起部
６０ｃはストッパ部
【図１】
0003164972.tif 000003
【図２】
0003164972.tif 000004
【図３】
0003164972.tif 000005
【図４】
0003164972.tif 000006
【図５】
0003164972.tif 000007
【図６】
0003164972.tif 000008
【図７】
0003164972.tif 000009